(57)【要約】【課題】 プロジェクションスクリーン伸縮フレームを提供する。【解決手段】  プロジェクションスクリーン伸縮フレームはレシーブケース１０、シリンダー２０、サポートアーム３０、メイン伸縮アーム５０、上サポートフレーム６０から構成する。折り畳み時には、該上サポートフレームを下方へ押し下げ、該シリンダーが該シリンダー伸縮アーム２１を収容し、同時に該受動伸縮アーム５２が同期して該メイン伸縮アームに収容されて収縮し、サポートアームからメイン伸縮アームをメインスリット５１を介して連結する連結部４０は該スリット及び受動伸縮アーム５２の伸縮スリット５３をスライドして、これらを折り畳み、レシーブケース１０内に収容する。【選択図】図２
0003143170.tif 000002
【実用新案登録請求の範囲】
【請求項１】
プロジェクションスクリーン伸縮フレームにおいて、
プロジェクションスクリーン上端を支持する上サポートフレームと
該プロジェクションスクリーン下端を固定すると共に収納空間を備え該サポートアーム接続するシリンダーとシリンダー伸縮アームを具えたサポートアームとの間に受動伸縮アームを具えたメイン伸縮アームとを交差して配置し、
該サポートアームは、シリンダー伸縮アームを該レシーブケース内に接続すると共に他端を上記上サポートフレームに連結し、
メイン伸縮アーム及び受動伸縮アームは、共にメインスリット及び伸縮スリッを具えて相互にスライド伸縮可能とすると共に、受動伸縮アームを該レシーブケース内に接続すると共に他端側のメイン伸縮アームを上記上サポートフレームに連結し
両スライドを通して上記の交差する位置で連結するサポートアームに設けられた連結部によりスライド可能に連結した構成とすることにより、
折り畳み時には、該上サポートフレームを下方へ押し下げて、
該サポートアームがシリンダー伸縮アームを該シリンダーにより収縮させる共に、メイン伸縮アームを受動伸縮アームをスライドさせて収縮させ、これら両者間の連結部のスライド移動によって、
該プロジェクションスクリーン、該上サポートフレーム、該サポートアーム、該連結部、該メイン伸縮アームは該収納空間中に折り畳まれることを特徴とするプロジェクションスクリーン伸縮フレーム。
【請求項２】
前記レシーブケース、サポートアーム、メイン伸縮アーム、上サポートフレームは金属により製造し、該連結部は該メインスリット中においてスライド可能であって、該シリンダー伸縮アームの一端が接続する該レシーブケースと該メイン伸縮アームの一端が接続する該上サポートフレームの配置は、ほぼ平行を呈し、該サポートアームの反対端が接続する該上サポートフレームと該伸縮スリットの反対端が接続する該レシーブケースの配置はほぼ平行であることを特徴とする請求項１記載のプロジェクションスクリーン伸縮フレーム。
【請求項３】
前記上サポートフレームの両側にはさらに第一嵌合装置を備え、
該レシーブケース上にはハンドルを備えると共に該ハンドルの両側は該上サポートフレームの嵌合装置位置に対応して第二嵌合装置を備え、これにより該上サポートフレームの第一嵌合装置と相互に嵌合することを特徴とする請求項１記載のプロジェクションスクリーン伸縮フレーム。
【請求項４】
前記プロジェクションスクリーン伸縮フレームはさらにスクリーン軸及び巻き取り装置を備え、該スクリーン軸は固定軸を備え、これにより該プロジェクションスクリーンを巻き取り、また、該プロジェクションスクリーンの一端は該上サポートフレーム上に固定すると共に他端は該レシーブケース内に固定し、該巻き取り装置は該レシーブケース或いは該上サポートフレーム中に設置されて該プロジェクションスクリーンを巻き取ることを特徴とする請求項１記載のプロジェクションスクリーン伸縮フレーム。
【請求項５】
前記巻き取り装置はバイアスばね、管状モーター又は同期モーターであって、該管状モーター又は同期モーターにおいては有線或いは無線方式により制御すると共に該無線方式はRF或いは赤外線リモコンであり、また、バイアスばねによる該巻き取り装置においては、該上サポートフレーム中に位置する時、さらに手動ブレーキ装置を備え、かつ該手動ブレーキ装置はハンドルを備え、２個の第一嵌合装置の間に位置し、また該スクリーン軸及び巻き取り装置は同一側に位置することを特徴とする請求項４記載のプロジェクションスクリーン伸縮フレーム。
【請求項６】
プロジェクションスクリーン伸縮フレームにおいて、
プロジェクションスクリーン上端を支持する上サポートフレームと
該プロジェクションスクリーン下端を固定すると共に収納空間を備え該サポートアームに接続するシリンダーとシリンダー伸縮アームを具えたサポートアームとの間に受動伸縮アームを具えたメイン伸縮アームとを交差して配置し、
該サポートアームは、該レシーブケース内に接続する第1伸縮アームと該サポートアームに接続する第2伸縮アームを具えた双方向シリンダーを具えてその他端を上記上サポートフレームに連結し、
メイン伸縮アーム及び受動伸縮アームは、共にメインスリット及び伸縮スリッを具えて相互にスライド伸縮可能とすると共に、受動伸縮アームを該レシーブケース内に接続すると共に他端側のメイン伸縮アームを上記上サポートフレームに連結し
両スライドを通して上記の交差する位置で連結するサポートアームに設けられた連結部によりスライド可能に連結した構成とすることにより、
折り畳み時には、該上サポートフレームを下方へ押し下げて、
該サポートアームがシリンダー伸縮アームを該シリンダーにより収縮させる共に、メイン伸縮アームを受動伸縮アームをスライドさせて収縮させ、これら両者間の連結部のスライド移動によって、
該プロジェクションスクリーン、該上サポートフレーム、該サポートアーム、該連結部、該メイン伸縮アームは該収納空間中に折り畳まれることを特徴とするプロジェクションスクリーン伸縮フレーム。
【請求項７】
前記レシーブケース、双方向シリンダー、サポートアーム、メイン伸縮アーム及び上サポートフレームは金属により製造し、該連結部は該メインスリット中においてスライド可能で、しかも該連結部はリベット、ネジ或いは凸ほぞ方式により、該メイン伸縮アーム及びサポートアームを連結することを特徴とする請求項６記載のプロジェクションスクリーン伸縮フレーム。
【請求項８】
前記上サポートフレームの両側にはさらに第一嵌合装置を備え、該レシーブケース上にはハンドルを備えると共に該ハンドルの両側には該上サポートフレームの嵌合装置位置に対応して第二嵌合装置を備え、これにより該上サポートフレームの第一嵌合装置と相互に嵌合することを特徴とする請求項６記載のプロジェクションスクリーン伸縮フレーム。
【請求項９】
前記プロジェクションスクリーン伸縮フレームはさらにスクリーン軸及び巻き取り装置を備え、該スクリーン軸上には固定軸を備え、これにより該プロジェクションスクリーンを巻き取り、該プロジェクションスクリーンの一端は該上サポートフレーム上に固定し、他端は該レシーブケース内に固定し、該巻き取り装置は該レシーブケース或いは該上サポートフレーム中に設置され、これにより該プロジェクションスクリーンを巻き取ることを特徴とする請求項６記載のプロジェクションスクリーン伸縮フレーム。
【請求項１０】
前記巻き取り装置はバイアスばね、管状モーター又は同期モーターであって、該管状モーター又は同期モーターにおいては有線或いは無線方式により制御すると共に該無線方式はRF或いは赤外線リモコンであり、また、バイアスばねによる該巻き取り装置においては、該上サポートフレーム中に位置する時、さらに手動ブレーキ装置を備え、かつ該手動ブレーキ装置はハンドルを備え、２個の第一嵌合装置の間に位置し、また該スクリーン軸及び巻き取り装置は同一側に位置することを特徴とする請求項９記載のプロジェクションスクリーン伸縮フレーム。
【請求項１１】
プロジェクションスクリーン伸縮フレームにおいて、
収納空間を備えレシーブケースと、
一端が該レシーブケースの一端に接続し、中間位置に凸ほぞを備えるメインサポートアームと、
一端が該メインサポートアームに接続すると共に、他端を該レシーブケースの一端に接続するシリンダーと接続するシリンダー伸縮アームと、
一端が該レシーブケースのメインサポートアームとは反対端に接続され、スライドスリットを備えて該凸ほぞを嵌合させてスライド移動可能とした受動サポートアームと、
一端が第一ピボットを介して該メインサポートアームの他端により結合されるメイン連結アームと、
一端が第二ピボットを介して該受動サポートアームの他端により結合される受動連結アームと、
該メイン連結アーム及び該受動連結アームの他端を連結して保持する上サポートフレームとから構成され、
折り畳み時には、該上サポートフレームを下方へと押し下げて、該シリンダーの収縮動作により、該メインサポートアーム上の凸ほぞがスライドスリットに沿って下方へとスライドすることにより、該メインサポートアーム及び該受動サポートアームの高さが共に同期して下降し、同時に第一ピボット及び第二ピボットの連結により、該メイン連結アーム及び受動連結アームも高さが完全に折り畳まれるまで同期して下降し、
該プロジェクションスクリーン、該上サポートフレーム、該シリンダー、該メインサポートアーム、該第一ピボット、該第二ピボット、該メイン連結アーム、該受動連結アームが該収納空間中に折り畳まれることを特徴とするプロジェクションスクリーン伸縮フレーム。
【請求項１２】
前記レシーブケース、メインサポートアーム、シリンダー、受動サポートアーム、メイン連結アーム、受動連結アーム及び上サポートフレームは金属により製造し、該第一シリンダーの第一シリンダー伸縮アームの一端が連結される該レシーブケースの位置は該第一サポートアームの右側に位置することを特徴とする請求項１１記載のプロジェクションスクリーン伸縮フレーム。
【請求項１３】
前記上サポートフレームの両側にはさらに第一嵌合装置を備え、該レシーブケース上にはハンドルを備えると共に該ハンドルの両側は該上サポートフレームの嵌合装置位置に対応して第二嵌合装置を備え、これにより該上サポートフレームの第一嵌合装置と相互に嵌合することを特徴とする請求項１１記載のプロジェクションスクリーン伸縮フレーム。
【請求項１４】
前記プロジェクションスクリーン伸縮フレームはさらにスクリーン軸及び巻き取り装置を備え、該スクリーン軸上には固定軸を備え、これにより該プロジェクションスクリーンを巻き取り、該プロジェクションスクリーンの一端は該上サポートフレーム上に固定し、反対端は該レシーブケース中に固定し、該巻き取り装置は該レシーブケース或いは該上サポートフレーム中に設置されて、該プロジェクションスクリーンを巻き取ることを特徴とする請求項１１記載のプロジェクションスクリーン伸縮フレーム。
【請求項１５】
前記巻き取り装置はバイアスばね、管状モーター又は同期モーターであって、該管状モーター又は同期モーターにおいては有線或いは無線方式により制御すると共に該無線方式はRF或いは赤外線リモコンであり、また、バイアスばねによる該巻き取り装置においては、該上サポートフレーム中に位置する時、さらに手動ブレーキ装置を備え、かつ該手動ブレーキ装置はハンドルを備え、２個の第一嵌合装置の間に位置し、また該スクリーン軸及び巻き取り装置は同一側に位置することを
特徴とする請求項１４記載のプロジェクションスクリーン伸縮フレーム。
【請求項１６】
プロジェクションスクリーン伸縮フレームにおいて、
上サポートフレームと、
該上サポートフレーム中に設置され、固定軸を備えてプロジェクションスクリーンを巻き取り、該プロジェクションスクリーンの一端を該上サポートフレーム上に固定するスクリーン軸と、
該上サポートフレーム或いは後述のレシーブケース中に設置され、これにより該プロジェクションスクリーンを巻き取る巻き取り装置と、
収納空間を備え、該プロジェクションスクリーンの反対端を固定するレシーブケースと、
より成ることを特徴とするプロジェクションスクリーン伸縮フレーム。
【請求項１７】
前記巻き取り装置は管状モーター或いは同期モーターで、該管状モーター或いは同期モーターは有線或いは無線方式により制御し、かつ該無線方式はRF或いは赤外線リモコンであって、該スクリーン軸及び該巻き取り装置は同一側に位置することを特徴とする請求項１６記載のプロジェクションスクリーン伸縮フレーム。
【請求項１８】
前記巻き取り装置はバイアスばねで、該巻き取り装置がバイアスばねで、かつ該上サポートフレーム中に位置する時、さらに手動ブレーキ装置を備え、かつ該手動ブレーキ装置はハンドルを備え、２個の第一嵌合装置の間に位置し、さらに該スクリーン軸及び該巻き取り装置は同一側に位置することを特徴とする請求項１６記載のプロジェクションスクリーン伸縮フレーム。
【考案の詳細な説明】
【技術分野】
【０００１】
本考案は、プロジェクションスクリーン伸縮フレームに関する。特に体積が小さく、軽量で、生産コストを低下させることができるプロジェクションスクリーン伸縮フレームに係る。
【背景技術】
【０００２】
一般のプロジェクター或いはOLEDテレビ等は、影像信号を大きなサイズの表示パネル或いはプロジェクションスクリーンに投影し、好適なビデオ/オーディオ及び視覚効果を達成する。
公知のプロジェクションスクリーン伸縮フレーム展開時の指示図である図1に示すように、公知のプロジェクションスクリーン伸縮フレームは相互に交差する数個のサポートアーム1000を備え、底部の２個のサポートアーム1000に対してさらにそれぞれ伸縮アーム1010を備える。こうして該２個の伸縮アーム1010によりプロジェクションスクリーン1020のサポート力を強化し、展開及び收縮の便を図る。
上記のプロジェクションスクリーン伸縮フレームは多くのサポートアーム1000及び２個の伸縮アーム1010が必要で、こうして初めてプロジェクションスクリーン1020のサポート力を強化することができる。しかし、これでは体積、重量及び製造コストを増大させてしまい、理想的ではない。
【特許文献１】特許第３５７６９８号公報
【考案の開示】
【考案が解決しようとする課題】
【０００３】
本考案が解決しようとする課題は、体積が小さく、軽量で、生産コストを低下させることができるプロジェクションスクリーン伸縮フレームを提供することである。
【課題を解決するための手段】
【０００４】
上記課題を解決するため、本考案は下記のプロジェクションスクリーン伸縮フレームを提供する。
プロジェクションスクリーン伸縮フレームはレシーブケース、シリンダー、サポートアーム、連結部、メイン伸縮アーム、上サポートフレーム、スクリーン軸により構成され、
該レシーブケースは収納空間を備え、
該シリンダーはシリンダー伸縮アームを備えると共に該レシーブケース中に接続し、
該サポートアームの一端は該シリンダーに接続し、
該連結部は該サポートアーム上に設置され、
該メイン伸縮アームはメインスリット及び受動伸縮アームを備え、しかも該受動伸縮アーム上には伸縮スリットを備え、該受動伸縮アームの一端は該レシーブケース中に接続し、
該上サポートフレームは該サポートアームの反対端及び該メイン伸縮アームの一端に保持され、
該スクリーン軸は該上サポートフレーム中に設置されて固定軸を備え、これによりプロジェクションスクリーンを巻き取り、
該プロジェクションスクリーンの一端は該上サポートフレームに固定し、反対端は該レシーブケース中に固定し、
折り畳もうとする時には、該上サポートフレームを下方へと押し下げて、該シリンダー中に該シリンダー伸縮アームを収容させることにより該シリンダー伸縮アームが完全に該シリンダーに進入するまで、また、同時に該受動伸縮アームが同期して該メイン伸縮アームに収容されて、該受動伸縮アームも完全に該メイン伸縮アーム内へと収容される時、該プロジェクションスクリーン、該上サポートフレーム、該サポートアーム、該連結部、該メイン伸縮アームは該収納空間中に折り畳まれる。
さらに、本考案のプロジェクションスクリーン伸縮フレームはレシーブケース、双方向シリンダー、サポートアーム、連結部、メイン伸縮アーム、上サポートフレーム、スクリーン軸から構成され、
該レシーブケースは収納空間を備え、
該双方向シリンダーは第一シリンダー伸縮アーム及び第二シリンダー伸縮アームを備え、該第一シリンダー伸縮アームは該レシーブケースの一端に接続し、該第二シリンダー伸縮アームの一端は該サポートアーム上に接続し、
該サポートアームは一端が該双方向シリンダーに接続し、
該連結部は、該サポートアーム上に設置され、
該メイン伸縮アームはメインスリット及び受動伸縮アームを備え、しかも該受動伸縮アーム上には伸縮スリットを備え、該受動伸縮アームの一端は該レシーブケース中に接続し、
該上サポートフレームは該メイン連結アーム及び該受動連結アームの反対端を保持し、
該スクリーン軸は該上サポートフレーム中に設置されて固定軸を備え、これによりプロジェクションスクリーンを巻き取り、
該プロジェクションスクリーンの一端は該上サポートフレーム上に固定され、他端は該レシーブケース中に固定され、
折り畳もうとする時には、該上サポートフレームを下方へと押し下げ、該第一及び第二シリンダーが引っ込む時、該サポートアーム上の連結部は押し下げられてメインスリットに沿って下方へとスライドすることにより、該サポートアーム及び該主受動サポートアームの高さは共に同期して下降し、同時に該連結部の連結により、高さが完全に折り畳まれるまで、該サポートアーム及び主受動連結アームも同期して下降し、該プロジェクションスクリーン、該上サポートフレーム、該双方向シリンダー、該サポートアーム、該連結部、該主受動連結アームは該収納空間中に折り畳まれる。
さらに、本考案のプロジェクションスクリーン伸縮フレームは、レシーブケース、メインサポートアーム、シリンダー、受動サポートアーム、メイン連結アーム、受動連結アーム、上サポートフレーム、スクリーン軸から構成され、
該レシーブケースは収納空間を備え、
該メインサポートアームは一端が該レシーブケースの一端に接続し、その上には凸ほぞを備え、
該シリンダーは一端が該メインサポートアーム上に接続し、シリンダー伸縮アームを備え、しかも該シリンダー伸縮アームは該レシーブケースの一端に接続し、
該受動サポートアームは一端が該レシーブケースの反対端に接続し、しかもその上にはスライドスリットを備え、該凸ほぞを嵌設及びスライドさせ、
該メイン連結アームは一端が第一ピボットと該メインサポートアームの反対端により結合され、
該受動連結アームは一端が第二ピボットと該受動サポートアームの反対端により結合され、
該上サポートフレームは該メイン連結アーム及び該受動連結アームの反対端を保持し、
該スクリーン軸は該上サポートフレーム中に設置されて固定軸を備え、これによりプロジェクションスクリーンの巻き取りを行い、
該プロジェクションスクリーンの一端は該上サポートフレーム上に固定し、反対端は該レシーブケース中に固定し、
折り畳もうとする時には、該上サポートフレームを下方へと押し下げ、該シリンダーが引っ込む時、該メインサポートアーム上の凸ほぞが圧迫されスライドスリットに沿って下方へとスライドすることにより、該メインサポートアーム及び該受動サポートアームの高さは共に同期して下降し、同時に第一ピボット及び第二ピボットの連結により、高さが完全に折り畳まれるまで該メイン連結アーム及び受動連結アームも同期して下降し、該プロジェクションスクリーン、該上サポートフレーム、該シリンダー、該メインサポートアーム、該第一ピボット、該第二ピボット、該メイン連結アーム、該受動連結アームは該収納空間中に折り畳まれる。
さらに、本考案のプロジェクションスクリーン伸縮フレームは少なくとも上サポートフレーム、スクリーン軸により構成され、
該スクリーン軸は該上サポートフレーム中に設置し、その上には固定軸を備え、これによりプロジェクションスクリーンを折り畳み、該プロジェクションスクリーンの一端は該上サポートフレーム上に固定し、
折り畳もうとする時には、該上サポートフレームを下方へと押し下げて、該スクリーン軸は該プロジェクションスクリーンを上方へと巻き上げ、該上サポートフレーム中に収納することができる。
【考案の効果】
【０００５】
上記のように、本考案は体積が小さく、軽量で、生産コストを低下させることができる。
【考案を実施するための最良の形態】
【０００６】
本考案の構造、特徴及びその目的について、図及び最適具体実施例を用い以下に詳細に説明を行う。
本考案第一最適実施例のプロジェクションスクリーン伸縮フレーム展開時の立体指示図である図２、本考案第一最適実施例のプロジェクションスクリーン伸縮フレーム展開時の平面指示図である図３、本考案第一最適実施例のプロジェクションスクリーン伸縮フレームの折り畳み指示図である図４に示すように、本考案のプロジェクションスクリーン伸縮フレームはレシーブケース10、シリンダー20、サポートアーム30、連結部40、メイン伸縮アーム50、上サポートフレーム60、スクリーン軸70により組成する。
該レシーブケース10は、収納空間11を備え、折り畳み時、該シリンダー20、サポートアーム30、連結部40、メイン伸縮アーム50、上サポートフレーム60及びスクリーン軸70を収容する。該レシーブケース10は金属材質製が最適である。
該シリンダー20は、シリンダー伸縮アーム21を備え該レシーブケース10中に接続され、該シリンダー伸縮アーム21は該シリンダー20内において伸縮することができる。
【０００７】
該サポートアーム30の一端は直接該上サポートフレーム60の一端に接続され、直接該上サポートフレーム60上に固定される(但しこれに限定しない)。該サポートアーム30は、金属材質製が最適である。
該連結部40は、該サポートアーム30上に設けられ、該サポートアーム30及び該メイン伸縮アーム50を結合する。該連結部40はピボットである(但しこれに限定しない)。
該メイン伸縮アーム50は、メインスリット51及び受動伸縮アーム52を備え、該受動伸縮アーム52上には伸縮スリット53を備える。該メインスリット51は、該連結部40をスライドさせることができ、該受動伸縮アーム52の一端は該レシーブケース10の一端内に接続される。  該メイン伸縮アーム50、は金属材質製が最適である。
【０００８】
該上サポートフレーム60は、該サポートアーム30の反対端及び該メイン伸縮アーム50により支持される。該上サポートフレーム60は、金属材質製が最適で、これによりプロジェクションスクリーン90は、該サポートフレームに懸架して垂下することができる。
該プロジェクションスクリーン90は、テキスタイルスクリーンである(但しこれに限定しない)。該プロジェクションスクリーン90の一端は該上サポートフレーム60上に固定され、他端は該レシーブケー10中に固定する。
該シリンダー伸縮アーム21の一端が接続された該レシーブケース10と、該メイン伸縮アーム50の一端が接続された該上サポートフレーム60の配置はほぼ平行を呈し、該サポートアーム30の反対端が接続する該上サポートフレーム60と該伸縮スリット53の反対端が接続された該レシーブケース10の配置もまたほぼ平行を呈し、これにより本考案のプロジェクションスクリーン伸縮フレームは展開時に外観上はおよそ「X」型を呈する。
【０００９】
該スクリーン軸70は固定軸71を備え、これにより該プロジェクションスクリーン90を巻き取る。該スクリーン軸70は機械方式或いは電動方式により該プロジェクションスクリーン90を上、下にロールすることができる。それは公知の技術であり、しかも本考案の重点ではないため、ここでは詳述しない。
この他、該レシーブケース10は、ハンドル（取っ手）13を備え、さらに該ハンドル13の両側には該上サポートフレーム60の第一嵌合装置61位置に対応して第二嵌合装置14を備え、該上サポートフレーム60の第一嵌合装置61と相互に嵌合する。
【００１０】
さらに、本考案のプロジェクションスクリーン伸縮フレームは、さらに巻き取り装置80を備え、該巻き取り装置80は該レシーブケース10或いは上サポートフレーム60中に設置され、これにより該プロジェクションスクリーン90の巻き取りと展開を行う。  該巻き取り装置80は、バイアスばね(spring-biased)、管状モーター或いは同期モーターである。
該巻き取り装置80が管状モーター、同期モーターである時、有線、或いはRFまたは赤外線(IR)リモコン或いはその組合せである無線方式により制御する(但しこれに限定しない)。
該巻き取り装置80がバイアスばねで、かつ該上サポートフレーム60中に在る時、それはさらに手動ブレーキ装置を備える(投影の関係により図示なし)。また、その上にはハンドル81を備え、かつ該スクリーン軸70及び巻き取り装置80はレシーブケース10或いは上サポートフレーム60中等の同一側に位置する。
上記のバイアスばね、管状モーター、同期モーター等巻き取り装置は公知の技術であるため、ここでは詳述しない。
【００１１】
本考案のプロジェクションスクリーン伸縮フレームの折り畳み指示図である図４に示すように、本考案のプロジェクションスクリーン伸縮フレームは折り畳み時に、該上サポートフレーム60を下方へと押し下げ、該シリンダー20が該シリンダー伸縮アーム21を内部に収納し、該シリンダー伸縮アーム21が完全に該シリンダー20中に入るまで、同時に該受動伸縮アーム52が同期して該メイン伸縮アーム50に向かって収容されて、該受動伸縮アーム52も該メイン伸縮アーム50内に完全に収納される時、該プロジェクションスクリーン90、該上サポートフレーム60、該サポートアーム30、該連結部40、該メイン伸縮アーム50は該収納空間11中に折り畳まれる。
【００１２】
本考案のプロジェクションスクリーン伸縮フレームを展開しようとする時には、該ハンドル81を持ち上げると、該巻き取り装置80は同時にスクリーン90を巻きほどいて展開し、該上サポートフレーム60全体は下から上へと引き上げられ、定位高さに到達すると該ハンドル81を放す。該巻き取り装置80は同時に該プロジェクションスクリーン90及びスクリーン軸70をロックし(手動ブレーキ装置の作用と同様)、同時に該シリンダー伸縮アーム21のサポート力によりその位置を保持する状態となる。
或いは上記の有線或いは無線方式により該管状モーター或いは同期モーターの巻き上げ、開放を制御し、他のサポートアーム30、連結部40、メイン伸縮アーム50、スクリーン軸70等の部品の作動させて、電動方式により定位及び折り畳みを行うことができる。よって、本考案のプロジェクションスクリーン伸縮フレームは部品を節減し、体積が小さく、操作が便利である等の長所を備え、公知のプロジェクションスクリーン伸縮フレームに比べ進歩性を備える。
【００１３】
本考案第二最適実施例のプロジェクションスクリーン伸縮フレームの展開指示図である図５に示すように、本考案のプロジェクションスクリーン伸縮フレームはレシーブケース300、双方向シリンダー310、サポートアーム320、連結部330、メイン伸縮アーム340、上サポートフレーム350、スクリーン軸360により構成する。
該レシーブケース300は、収納空間301を備え、折り畳み時に該双方向シリンダー310、サポートアーム320、連結部330、メイン伸縮アーム340、上サポートフレーム350以及びスクリーン軸360を収容することができる。該レシーブケース300は、金属材質製が最適である。
該双方向シリンダー310は、第一シリンダー伸縮アーム311及び第二シリンダー伸縮アーム312を備え、該第一シリンダー伸縮アーム311は該レシーブケース300の一端に接続され、該双方向シリンダー310は金属により製造する(但し、これに限定しない)。
【００１４】
該サポートアーム320の一端は該第二シリンダー伸縮アーム312の一端に接続し、金属により製造される(但し、これに限定しない)。
該連結部330は、該サポートアーム320上に設置され、該メイン伸縮アーム340のメインスリット341中においてスライドすることができる。該連結部330はリベット、ネジ或いは凸ほぞ方式により、該サポートアーム320及び該メイン伸縮アーム340を連結する。
該メイン伸縮アーム340は、メインスリット341及び受動伸縮アーム342を備え、該メイン伸縮アーム340のメインスリット341中でスライドし、該受動伸縮アーム342には伸縮スリット343を備える。
該メインスリット341は、該連結部330をスライドさせることができ、かつ該受動伸縮アーム342の一端は該レシーブケース300の反対端に接続する。  該メイン伸縮アーム340は金属材質製が最適である。
【００１５】
該上サポートフレーム350は、該メイン伸縮アーム340の反対端及び該サポートアーム320の一端に保持される。該上サポートフレーム350は、金属材質製が最適で、これによりプロジェクションスクリーン90を懸架して展開することができる。該プロジェクションスクリーン90の反対端は該レシーブケース300中に接続され、該プロジェクションスクリーン90はテキスタイルスクリーンである(但し、これに限定しない)。
該スクリーン軸360は、固定軸361を備え、これにより該プロジェクションスクリーン90を折り畳む。該スクリーン軸360は機械方式或いは電動方式により該プロジェクションスクリーン90を上、下にロールすることができる。それは公知の技術であり、本考案の重点ではないため、ここでは詳述しない。
【００１６】
この他、該レシーブケース300上にはさらにハンドル303を備え、また該ハンドル303の両側には該上サポートフレーム350の第一嵌合装置351位置に対応して、第二嵌合装置304を備え、これにより該上サポートフレーム350の第一嵌合装置351と相互に嵌合する。
また、本考案のプロジェクションスクリーン伸縮フレームはさらに巻き取り装置370を備える。該巻き取り装置370は該レシーブケース300或いは上サポートフレーム350中に設置し、これにより該プロジェクションスクリーン90の巻上げと展開を行う。  該巻き取り装置370はバイアスばね、管状モーター或いは同期モーターである。
該巻き取り装置370が管状モーター、同期モーターである時、有線、或いはRFまたは赤外線リモコン或いはその組合せ(但し、これに限定しない)である無線方式により制御する。
該巻き取り装置370がバイアスばねで、しかも該上サポートフレーム350中に位置する場合、それはさらに手動ブレーキ装置(投影関係により図示なし)を備え、その上にはハンドル371を備える。  該スクリーン軸360及び巻き取り装置370はレシーブケース300或いは上サポートフレーム350中等の同一側に位置する。
上記のバイアスばね、管状モーター、同期モーター等巻き取り装置は公知構造であるため、ここでは詳述しない。
【００１７】
折り畳み時には、該上サポートフレームを350下方へと押し下げ、該第一シリンダー伸縮アーム311及び第二シリンダー伸縮アーム312が収縮すると、該サポートアーム320上の連結部330は押し下げられてメインスリット341に沿って下方へとスライドすることにより、該サポートアーム320及び該メイン伸縮アーム340の高さは共に同期して下降し、同時に該連結部330の連結構造により、高さが完全に折り畳まれるまで、該サポートアーム320及びメイン伸縮アーム340も同期して下降する。こうして該プロジェクションスクリーン90、上サポートフレーム350、双方向シリンダー310、サポートアーム320、連結部330及びメイン伸縮アーム340を該収納空間中301に折り畳むことができる。
或いは、上記の有線或いは無線方式により、該管状モーター或いは同期モーターの巻き上げ、開放を制御し、他の双方向シリンダー310、サポートアーム320、連結部330、メイン伸縮アーム340及びスクリーン軸360等部品の作動を対応させ、電動方式により定位及び折り畳みを行う目的を達成することができる。
【００１８】
本考案第二最適実施例のプロジェクションスクリーン伸縮フレームの展開指示図である図６に示すように、本考案のプロジェクションスクリーン伸縮フレームはレシーブケース800、メインサポートアーム810、シリンダー820、受動サポートアーム830、メイン連結アーム840、受動連結アーム850、上サポートフレーム860、スクリーン軸870により構成する。
該レシーブケース800は、収納空間801を備え、折り畳み時に、該上サポートフレーム860、シリンダー820、メインサポートアーム810、メイン連結アーム840及び受動連結アーム850を収容することができる。  該レシーブケース800は、金属材質製が最適である。
該メインサポートアーム810の一端は、該レシーブケース800の一端に接続され、その上には凸ほぞ811を備える。該メインサポートアーム810は、金属により製造する(但し、これに限定しない)。
該シリンダー820はシリンダー伸縮アーム821を備え、該シリンダー伸縮アーム821は該レシーブケース800の一端に接続される。該シリンダー820は金属により製造する(但し、これに限定しない)。該シリンダー820のシリンダー伸縮アーム821の一端は該レシーブケース800の位置に接続され、該メインサポートアーム810の右側に位置する。
【００１９】
該受動サポートアーム830の一端は該レシーブケース800の反対端に接続され、その上にはスライドスリット831を備え、該凸ほぞ811を嵌合及びスライドさせる。該受動サポートアーム830は、金属により製造する(但し、これに限定しない)。
該メイン連結アーム840の一端は、第一ピボット845と該メインサポートアーム810の反対端により結合し、金属により製造する(但し、これに限定しない)。
該受動連結アーム850の一端は、第二ピボット855と該受動サポートアーム830の反対端により結合し、金属により製造する(但し、これに限定しない)。
該上サポートフレーム860は、該メイン連結アーム840及び該受動連結アーム850の反対端を接続し、しかも該上サポートフレーム860は金属材質製が最適であ、これによりプロジェクションスクリーン90をその上に掛けることができる。
該プロジェクションスクリーン90はテキスタイルスクリーンで(但しこれに限定しない)、その一端は該上サポートフレーム860上に固定し、反対端は該レシーブケース800中に固定する。該第一シリンダー820の第一シリンダー伸縮アーム821の一端は、該レシーブケース800の位置に接続し、該メインサポートアーム810の右側に位置する。
【００２０】
該スクリーン軸870には固定軸871を備え、これにより該プロジェクションスクリーン90を巻き取ることができる。該スクリーン軸870は、機械方式或いは電動方式により該プロジェクションスクリーン90を上、下にロールすることができる。それは公知の技術であり、本考案の重点ではないため、ここでは詳述しない。
この他、該レシーブケース800上にはさらにハンドル803を備え、かつ該ハンドル803の両側には該上サポートフレーム860の第一嵌合装置861位置に対応して第二嵌合装置804を備え、該上サポートフレーム860の第一嵌合装置861と相互に嵌合する。
また、本考案のプロジェクションスクリーン伸縮フレームは、さらに巻き取り装置880を備え、該巻き取り装置880は該レシーブケース800或いは上サポートフレーム860中に設置する。これにより該プロジェクションスクリーン90の巻上げと展開を行う。  該巻き取り装置880はバイアスばね、管状モーター或いは同期モーターである。
該巻き取り装置880が管状モーター、同期モーターである時、有線、或いはRFまたは赤外線リモコン或いはその組合せ(但し、これに限定しない)である無線方式により制御する。
該巻き取り装置880がバイアスばねで、しかも該上サポートフレーム860中に位置する場合、それはさらに手動ブレーキ装置(投影関係により図示なし)を備え、その上にはハンドル881を備える。しかも該スクリーン軸870及び巻き取り装置880はレシーブケース800或いは上サポートフレーム860中等の同一側に位置する。
上記のバイアスばね、管状モーター、同期モーター等巻き取り装置は公知構造であるため、ここでは詳述しない。
【００２１】
該ハンドル881が持ち上げられると、該巻き取り装置880は同時に解除或いは起動され、上サポートフレーム860全体は下から上へと引き上げられ、定位高さに到達すると該ハンドル881を放す。すると該巻き取り装置880は、同時に該プロジェクションスクリーン90及びスクリーン軸870を押圧し(手動ブレーキ装置の作用と同様)、同時に該シリンダー伸縮アーム821のサポート力により定位状態に保つことができる。
折り畳もうとする時には、該上サポートフレーム860を下方へと押し下げ、該シリンダー820が収縮すると、該メインサポートアーム810上の凸ほぞ811は圧迫され該スライドスリット831に沿って下方へとスライドすることにより、該メインサポートアーム810及び該受動サポートアーム830の高さは共に同期して下降し、同時に第一ピボット845及び第二ピボット855の連結により、高さが完全に折り畳まれるまで、該メイン連結アーム840及び受動連結アーム850も同期して下降し、こうして該プロジェクションスクリーン90、上サポートフレーム860、シリンダー820、第一ピボット845、第二ピボット855、メイン連結アーム840及び受動連結アーム850を該収納空間中に折り畳むことができる。
或いは上記の有線或いは無線方式により、該管状モーター或いは同期モーターの巻き上げ、開放を制御し、他のメインサポートアーム810、シリンダー820、受動サポートアーム830、メイン連結アーム840及び受動連結アーム850等部品の作動を対応させ、電動方式により定位及び折り畳みを行う目的を達成することができる。
【００２２】
この他、本考案が掲示するプロジェクションスクリーン伸縮フレームは上サポートフレームよりプロジェクションスクリーン90の巻き取りを行い、手動ブレーキ装置或いは電動の管状モーター或いは同期モーターにより定位を行う。その詳細原理は上記で既に巻明したため、ここでは繰り返し説明を行わない。
よって、本考案プロジェクションスクリーン伸縮フレームの実施により、体積が小さく、軽量で、生産コストを低下可能である等長所を達成することができるため、公知のプロジェクションスクリーン伸縮フレームの欠点を改善することができる。
本考案の上記例示は最適実施例の一種に過ぎず、局部の変更或いは修飾が本考案の技術思想に基づき該項技術の習熟者が連想可能である場合には、本考案の範囲に含まれるものとする。
本考案は目的、手段、機能と効果のすべてにおいて、公知技術とは異なり、しかも実用に適しており、実用新案の請求要件に符合している。
【図面の簡単な説明】
【００２３】
【図１】公知のプロジェクションスクリーン伸縮フレーム展開時の指示図である。
【図２】本考案第一最適実施例のプロジェクションスクリーン伸縮フレーム展開時の立体指示図である。
【図３】本考案第一最適実施例のプロジェクションスクリーン伸縮フレーム展開時の平面指示図である。
【図４】本考案第一最適実施例のプロジェクションスクリーン伸縮フレームの折り畳み指示図である。
【図５】考案第二最適実施例のプロジェクションスクリーン伸縮フレームの展開指示図である。
【図６】本考案第二最適実施例のプロジェクションスクリーン伸縮フレームの展開指示図である。
【符号の説明】
【００２４】
10  レシーブケース
11  収納空間
13  ハンドル
14  第二嵌合装置
20  シリンダー
21  シリンダー伸縮アーム
30  サポートアーム
40  連結部
50  メイン伸縮アーム
51  メインスリット
52  受動伸縮アーム
53  伸縮スリット
60  上サポートフレーム
61  第一嵌合装置
70  スクリーン軸
71  固定軸
80  巻き取り装置
81  ハンドル
300  レシーブケース
301  収納空間
303  ハンドル
304  第二嵌合装置
310  双方向シリンダー
311  第一シリンダー伸縮アーム
312  第二シリンダー伸縮アーム
320  サポートアーム
330  連結部
340  メイン伸縮アーム
341  メインスリット
342  受動伸縮アーム
343  伸縮スリット
350  上サポートフレーム
351  第一嵌合装置
360  スクリーン軸
361  固定軸
370  巻き取り装置
371  ハンドル
800  レシーブケース
803  ハンドル
801  収納空間
804  第二嵌合装置
810  メインサポートアーム
811  凸ほぞ
820  シリンダー
821  シリンダー伸縮アーム
830  受動サポートアーム
831  スライドスリット
840  メイン連結アーム
845  第一ピボット
850  受動連結アーム
855  第二ピボット
860  上サポートフレーム
861  第一嵌合装置
870  スクリーン軸
871  固定軸
880  巻き取り装置
881  ハンドル
【図１】
0003143170.tif 000003
【図２】
0003143170.tif 000004
【図３】
0003143170.tif 000005
【図４】
0003143170.tif 000006
【図５】
0003143170.tif 000007
【図６】
0003143170.tif 000008